【手続補正書】
【提出日】平成21年10月9日(2009.10.9)
【手続補正１】
【補正対象書類名】特許請求の範囲
【補正対象項目名】全文
【補正方法】変更
【補正の内容】
【特許請求の範囲】
【請求項１】
画像データを複数に分割する分割手段と、
前記分割手段により分割された複数の画像データの位置を識別するための位置座標ＩＤを生成する手段と、
前記分割手段により分割された画像データと、その画像データの位置を識別するための位置座標ＩＤとを対応付けて、１つの表示画面を構成する複数の表示装置のそれぞれに送信する画像データ送信手段とを有することを特徴とする表示制御装置。
【請求項２】
前記分割手段により分割された画像データの処理に関する時間情報を生成する手段を有し、
前記画像データ送信手段は、前記分割手段により分割された画像データと、該画像データの位置を識別するための位置座標ＩＤと、該画像データの処理に関する時間情報とを対応付けて、１つの表示画面を構成する複数の表示装置のそれぞれに送信することを特徴とする請求項１に記載の表示制御装置。
【請求項３】
前記複数の表示装置により構成される表示画面における前記画像データのレイアウトの指示情報を、前記複数の表示装置のそれぞれに送信する指示情報送信手段を有することを特徴とする請求項１又は２に記載の表示制御装置。
【請求項４】
前記画像データ送信手段は、前記指示情報送信手段により送信される指示情報と同じ通信方式で画像データを送信することを特徴とする請求項３に記載の表示制御装置。
【請求項５】
１画面の画像データの表示担当領域をメモリに記憶する記憶手段と、
前記１画面の画像データの一部と、該１画面の画像データの一部の位置を識別するための位置座標ＩＤとを表示制御装置から入力する入力手段と、
前記入力手段により入力された位置座標ＩＤに基づいて、前記入力手段により入力された１画面の画像データの一部が、前記記憶手段により記憶された表示担当領域に含まれるか否かを判定する判定手段と、
前記入力手段により入力された１画面の画像データの一部が、前記記憶手段により記憶された表示担当領域に含まれることが、前記判定手段により判定された場合に、該入力された１画面の画像データの一部を受け付ける受付手段と、
前記受付手段により受け付けられた１画面の画像データの一部を用いて、前記表示担当領域の画像を表示する表示手段とを有することを特徴とする表示装置。
【請求項６】
画像データを複数に分割する分割ステップと、
前記分割ステップにより分割された複数の画像データの位置を識別するための位置座標ＩＤを生成するステップと、
前記分割ステップにより分割された画像データと、その画像データの位置を識別するための位置座標ＩＤとを対応付けて、１つの表示画面を構成する複数の表示装置のそれぞれに送信する画像データ送信ステップとを有することを特徴とする表示制御装置の制御方法。
【請求項７】
１画面の画像データの表示担当領域をメモリに記憶する記憶ステップと、
前記１画面の画像データの一部と、該１画面の画像データの一部の位置を識別するための位置座標ＩＤとを表示制御装置から入力する入力ステップと、
前記入力ステップにより入力された位置座標ＩＤに基づいて、前記入力ステップにより入力された１画面の画像データの一部が、前記記憶ステップにより記憶された表示担当領域に含まれるか否かを判定する判定ステップと、
前記入力ステップにより入力された１画面の画像データの一部が、前記記憶ステップにより記憶された表示担当領域に含まれることが、前記判定ステップにより判定された場合に、該入力された１画面の画像データの一部を受け付ける受付ステップと、
前記受付ステップにより受け付けられた１画面の画像データの一部を用いて、前記表示担当領域の画像を表示装置に表示する表示ステップとを有することを特徴とする表示装置の制御方法。
【請求項８】
画像データを複数に分割する分割ステップと、
前記分割ステップにより分割された複数の画像データの位置を識別するための位置座標ＩＤを生成するステップと、
前記分割ステップにより分割された画像データと、その画像データの位置を識別するための位置座標ＩＤとを対応付けて、１つの表示画面を構成する複数の表示装置のそれぞれに送信する画像データ送信ステップとをコンピュータに実行させることを特徴とするプログラム。
【請求項９】
１画面の画像データの表示担当領域をメモリに記憶する記憶ステップと、
前記１画面の画像データの一部と、該１画面の画像データの一部の位置を識別するための位置座標ＩＤとを表示制御装置から入力する入力ステップと、
前記入力ステップにより入力された位置座標ＩＤに基づいて、前記入力ステップにより入力された１画面の画像データの一部が、前記記憶ステップにより記憶された表示担当領域に含まれるか否かを判定する判定ステップと、
前記入力ステップにより入力された１画面の画像データの一部が、前記記憶ステップにより記憶された表示担当領域に含まれることが、前記判定ステップにより判定された場合に、該入力された１画面の画像データの一部を受け付ける受付ステップと、
前記受付ステップにより受け付けられた１画面の画像データの一部を用いて、前記表示担当領域の画像を表示装置に表示する表示ステップとをコンピュータに実行させることを特徴とするプログラム。
【手続補正２】
【補正対象書類名】明細書
【補正対象項目名】発明の名称
【補正方法】変更
【補正の内容】
【発明の名称】表示制御装置及び表示装置
【手続補正３】
【補正対象書類名】明細書
【補正対象項目名】０００１
【補正方法】変更
【補正の内容】
【０００１】
本発明は、表示制御装置及び表示装置に関し、特に、複数の表示装置を組合せて１画面の表示を行うために用いて好適なものである。
【手続補正４】
【補正対象書類名】明細書
【補正対象項目名】００１５
【補正方法】変更
【補正の内容】
【００１５】
本発明の表示制御装置は、画像データを複数に分割する分割手段と、前記分割手段により分割された複数の画像データの位置を識別するための位置座標ＩＤを生成する手段と、前記分割手段により分割された画像データと、その画像データの位置を識別するための位置座標ＩＤとを対応付けて、１つの表示画面を構成する複数の表示装置のそれぞれに送信する画像データ送信手段とを有することを特徴とする。
本発明の表示装置は、１画面の画像データの表示担当領域をメモリに記憶する記憶手段と、前記１画面の画像データの一部と、該１画面の画像データの一部の位置を識別するための位置座標ＩＤとを表示制御装置から入力する入力手段と、前記入力手段により入力された位置座標ＩＤに基づいて、前記入力手段により入力された１画面の画像データの一部が、前記記憶手段により記憶された表示担当領域に含まれるか否かを判定する判定手段と、前記入力手段により入力された１画面の画像データの一部が、前記記憶手段により記憶された表示担当領域に含まれることが、前記判定手段により判定された場合に、該入力された１画面の画像データの一部を受け付ける受付手段と、前記受付手段により受け付けられた１画面の画像データの一部を用いて、前記表示担当領域の画像を表示する表示手段とを有することを特徴とする。
【手続補正５】
【補正対象書類名】明細書
【補正対象項目名】００１６
【補正方法】変更
【補正の内容】
【００１６】
本発明の表示制御装置の制御方法は、画像データを複数に分割する分割ステップと、前記分割ステップにより分割された複数の画像データの位置を識別するための位置座標ＩＤを生成するステップと、前記分割ステップにより分割された画像データと、その画像データの位置を識別するための位置座標ＩＤとを対応付けて、１つの表示画面を構成する複数の表示装置のそれぞれに送信する画像データ送信ステップとを有することを特徴とする。
本発明の表示装置の制御方法は、１画面の画像データの表示担当領域をメモリに記憶する記憶ステップと、前記１画面の画像データの一部と、該１画面の画像データの一部の位置を識別するための位置座標ＩＤとを表示制御装置から入力する入力ステップと、前記入力ステップにより入力された位置座標ＩＤに基づいて、前記入力ステップにより入力された１画面の画像データの一部が、前記記憶ステップにより記憶された表示担当領域に含まれるか否かを判定する判定ステップと、前記入力ステップにより入力された１画面の画像データの一部が、前記記憶ステップにより記憶された表示担当領域に含まれることが、前記判定ステップにより判定された場合に、該入力された１画面の画像データの一部を受け付ける受付ステップと、前記受付ステップにより受け付けられた１画面の画像データの一部を用いて、前記表示担当領域の画像を表示装置に表示する表示ステップとを有することを特徴とする。
【手続補正６】
【補正対象書類名】明細書
【補正対象項目名】００１７
【補正方法】変更
【補正の内容】
【００１７】
本発明のプログラムは、画像データを複数に分割する分割ステップと、前記分割ステップにより分割された複数の画像データの位置を識別するための位置座標ＩＤを生成するステップと、前記分割ステップにより分割された画像データと、その画像データの位置を識別するための位置座標ＩＤとを対応付けて、１つの表示画面を構成する複数の表示装置のそれぞれに送信する画像データ送信ステップとをコンピュータに実行させることを特徴とする。
本発明のプログラムの他の態様では、１画面の画像データの表示担当領域をメモリに記憶する記憶ステップと、前記１画面の画像データの一部と、該１画面の画像データの一部の位置を識別するための位置座標ＩＤとを表示制御装置から入力する入力ステップと、前記入力ステップにより入力された位置座標ＩＤに基づいて、前記入力ステップにより入力された１画面の画像データの一部が、前記記憶ステップにより記憶された表示担当領域に含まれるか否かを判定する判定ステップと、前記入力ステップにより入力された１画面の画像データの一部が、前記記憶ステップにより記憶された表示担当領域に含まれることが、前記判定ステップにより判定された場合に、該入力された１画面の画像データの一部を受け付ける受付ステップと、前記受付ステップにより受け付けられた１画面の画像データの一部を用いて、前記表示担当領域の画像を表示装置に表示する表示ステップとをコンピュータに実行させることを特徴とする。